(57)【要約】      （修正有）【課題】簡単な構造により呼吸する空気や飲料等を含む流体を手軽に且つ効果的に磁化する流体磁化チューブを提供する。【解決手段】洗浄やメンテナンス、或いは他の設備等と接続するのに便利なよう外管０２内部には着脱可能な状態で磁心を含む磁化器０３を設置し、サイズを小型に設計することでは飲料等に用いるストローとし、また該外０２管の直径や長さを所望のサイズに設計する、或いは磁化器０３の大きさや数量を変えることでは比較的規模の大きな商工業用設備に用いる磁化設備に用いるものとする。【選択図】図６
0003104700.tif 000002
【実用新案登録請求の範囲】
【請求項１】
外管と一つ以上の磁化器より構成する磁化チューブにおいて、
中空を呈した管であり、且つ洗浄の目的及びその他の設備や装置と連結及び相通させるべく、該磁化器との接続を着脱できるものとし、また該磁化器を内部に制限するよう、少なくとも一端には磁化器と連結される管連結部を具有する該外管と、
内部には一つ以上の永久磁石と二つ以上の磁気導体により構成される磁心を少なくとも一組設けた該磁化器と、
を具有し、該磁心の外囲を磁心カバーで被覆し、また該磁心カバー上には複数の定位凸型縁を設けることにより、該磁化器を該管内に定位し、該外管内壁との間に環状ルートを形成し、該磁化器内の磁心の永久磁石が磁気導体により発せられる磁力線と該環状ルートを通じて流れる流体とがほぼ垂直状態で交わることを特徴とする流体磁化チューブ。
【請求項２】
該チューブにより磁化する流体には各種液体と気体を含むことを特徴とする請求項１記載の流体磁化チューブ。
【請求項３】
該チューブはサイズを小型とし、ストローとして製造されることにより、使用者が飲料等を吸い上げて飲用すると同時に飲料等を直接磁化することを特徴とする請求項１記載の流体磁化チューブ。
【請求項４】
該チューブは一般のストローと接続されることにより、飲料を吸い上げると共に飲料を磁化することを特徴とする請求項１記載の流体磁化チューブ。
【請求項５】
該チューブはそのサイズを中型或いは大型の磁化装置として製造され、大量の流体に対して磁化を行うことを特徴とする請求項１記載の流体磁化チューブ。
【請求項６】
該チューブは呼吸する空気を磁化するべくマスクや防毒マスクの呼吸管上に設置されることを特徴とする請求項１記載の流体磁化チューブ。
【請求項７】
外管と一つ以上の磁化器とより構成される磁化チューブにおいて、
中空を呈した管であり、且つ洗浄の目的及びその他の設備や装置と連結及び相通させるべく、該磁化器との接続を着脱できるものとし、また該磁化器を内部に制限するよう、少なくとも一端には磁化器と連結される管連結部を具有する該外管と、
内部に少なくとも一つ以上の永久磁石より構成される一組の磁心を具有する該磁化器と、
を具有し、
該磁心の外囲を磁心カバーで被覆し、該磁心カバー上には複数の定位凸型縁を設けることにより、該磁化器を該管内に定位すると共に該外管内壁との間に環状のルートを形成し、該磁化器内の永久磁石同士を相互に退ける方向で排列することで、該磁化器より発せられる磁力線と該環状ルートを通じて流れる流体とがほぼ垂直状態で交わることを特徴とする流体磁化チューブ。
【請求項８】
該チューブにより磁化する流体には各種液体と気体を含むことを特徴とする請求項７記載の流体磁化チューブ。
【請求項９】
該チューブはサイズを小型とし、ストローとして製造されることにより、使用者が飲料等を吸い上げて飲用すると同時に飲料等を直接磁化することを特徴とする請求項７記載の流体磁化チューブ。
【請求項１０】
該チューブは一般のストローと接続されることにより、飲料を吸い上げると共に飲料を磁化することを特徴とする請求項７記載の流体磁化チューブ。
【請求項１１】
該チューブはそのサイズを中型或いは大型の磁化装置として製造され、大量の流体に対して磁化を行うことを特徴とする請求項７記載の流体磁化チューブ。
【請求項１２】
該チューブは呼吸する空気を磁化するべくマスクや防毒マスクの呼吸管上に設置されることを特徴とする請求項７記載の流体磁化チューブ。
【考案の詳細な説明】
【技術分野】
【０００１】
本考案は流体磁化チューブに係り、特に携帯型の各種液体や気体などである流体を磁化及びイオン化する構造を具有し、使用者が水や飲料及び呼吸する空気を吸い上げると同時に効果的に磁化する流体磁化チューブに関わる。
【背景技術】
【０００２】
周知のとおり磁化を経た水には微量の電荷を具有し、水分子集合体(H２O)nの大きさはは大から小へと変化する。また磁化された後の水分子の水酸化結合角は104．5度から103度にまで縮小する。具体的には水中のカルシウムやマグネシウムイオンが堅い結晶となって水垢となることが防止されること、また水の表面張力が1〜10mN／Mに下降すること、並びに水中の酸素溶解濃度が4〜6mg／L高まること、pH値が0.4〜1.0高まること、水の溶解度が20〜70％高まること、水の清さが20〜90％高まること、等が挙げられる。こうして効果的に磁化されることによりもたらされる効果とは、水垢の発生が防止されることで水中に設けられた各設備の腐蝕が防止される、或いは細菌や藻の生長が抑制される、溶解能力や潤滑性並びに冷却効果や熱伝導効率、濾過や浸透効果及び洗浄能力が高められること等である。
また燃料が磁化を経ることでは以下の効果が挙げられる。先ず燃料分子が小さくなることで粘度が下がり空気とむらなく混合されて燃焼しやすくなり、燃焼効率が3〜20％高まること、また燃焼室にカーボンが蓄積しにくいこと、並びに燃料を吹き付けるノズルが詰まりにくいことや馬力が5〜15％も高められること、更には燃焼により生ずる空気汚染の元となるHCやCO、CO２の量が減ることなどである。
【考案の開示】
【考案が解決しようとする課題】
【０００３】
上述のように磁化が非常に有効であることより該技術はバイオテクノロジーにも応用されており、磁化された水は微生物の生長が抑制されており、これを飲用することは結石予防にも繋がり、また新陳代謝を活発にして老化防止に役立つことから一般にも「磁化水」が販売されているが、しかし欠点として磁化後の磁化作用は時間と共に減少するものであり、市販されている磁化或いは活性化された水や飲み物は保存された期間が長いものほど磁化作用が大幅に減少してしまう。では個人でも磁化された水や飲料を即時飲めるべく、飲料を磁化する磁化装置が開発されており、具体的には「磁化水を提供するサーバー或いはコップ」等であるが、これらは体積が大きく且つ価格も高いといった欠点がある。また飲料或いは水を攪拌することで磁化する「磁化棒」においては、体積は小さいが飲用前に何度も攪拌しなければならないことが煩わしい。
そこで上述の欠点に鑑み、簡単な構造により呼吸する空気や飲料等を含む流体を手軽に且つ効果的に磁化する本考案の流体磁化チューブを提供する。
【課題を解決するための手段】
【０００４】
洗浄やメンテナンス、或いは他の設備等と接続するのに便利なよう外管内部には着脱可能な状態で磁心を含む磁化器を設置し、サイズを小型に設計することでは飲料等に用いるストローとし、また該外管の直径や長さを所望のサイズに設計する、或いは磁化器（磁心）の大きさや数量を変えることでは比較的規模の大きな商工業用設備に用いる磁化設備に用いるものとする。
【考案の効果】
【０００５】
本考案によると、磁化装置を携帯型のチューブとすることで、使用や製造が容易且つ低コストで、空気や飲料等を含む流体をどこでも簡単に即時磁化する装置を提供する目的が達成された。
【考案を実施するための最良の形態】
【０００６】
図１，２に示すように、本考案の流体磁化チューブ０１は外管０２と三つの磁化器０３と二つの管連結部０５とより構成される。該外管０２の両端には該管連結部０５と螺合される螺旋０２２が設けられており、該管連結部０５の一端は該外管０２と螺合される螺旋０５１が設けられている。また図３，４に示すように、該磁化器０３内には磁心０４が設けられており、該磁心０４は二つの磁石０４１，０４２及び三つの磁気導体０４３，０４４，０４５より構成される。該磁心０４外囲は防水性及び通気性を具有する磁心カバー０４６により被覆されており、該磁心カバー０４６が被覆することにより該二つの磁石０４１，０４２及び三つの磁気導体０４３，０４４，０４５を固定し、酸化による腐蝕を防止する。図５に示すように、該二つの磁石０４１，０４２は磁極を退け合う方向に設置されており、該磁石０４１，０４２と三つの磁気導体０４３，０４４，０４５は緊密に隣接しているが、このとき該二つの磁石０４１，０４２はN極同士で退け合い、これらのN極より生ずる磁力線０３２が該二つの磁石０４１，０４２中間の磁気導体０４４より集中して外側に励起し、最短ルートで該二つの磁石０４１，０４２側面の磁気導体０４３，０４５に向かい、該二つの磁石０４１，０４２のS極に至る。また図４，６に示すように、該磁心カバー０４６上には八つの定位凸型縁０３１が設けられており、該磁化器０３を該外管０２中に定位し、外管内壁０２１との間に環状ルート０６を形成する。該磁化器０３内の磁心０４の二つの磁石０４１，０４２が三つの磁気導体０４３，０４４，０４５を通じて発する磁力線０３２は、該環状ルート０６を通じてくる流体とほぼ垂直状態で交わることから、効果的に流体を磁化すると共にイオン化する作用を提供する。該流体磁化チューブ０１の管連結部０５には螺旋０５１及び略円錐形を呈した至端部０５２が設けられており、これは該管連結部０５と該外管０２とを螺合するとき、該至端部０５２を該外管０２の螺旋０２２に螺合させることにより、該磁化器０３が該外管０２内部に固定されてスムーズに流体が流れるルートが確保される。
【０００７】
図７に示すように、流体磁化チューブ０１´を一つの外管０２´と三つの磁化器０３´と二つの管連結部０５´とより構成した場合、該外管０２´の両端には管連結部０５´を螺合する螺旋０２２´が設けられ、該管連結部０５´の一端にも該外管０２´と螺合する螺旋０５１´が設けられる。図８，９，１０に示すように、磁化器０３´内には磁心０４´を設けるが、該磁心０４´は二つの磁石０４１´，０４２´より構成し、該磁心０４´の外囲は防水性及び通気性を具有する磁心カバー０４６´により被覆することで該二つの磁石０４１´，０４２´が酸化による腐蝕を免れるようにする。該二つの磁石０４１´，０４２´は相互に退け合う方向に設置し、該二つの磁石０４１´，０４２´のN極が近づいている際、該N極より生ずる磁力線０３２´が該二つの磁石０４１´，０４２´中間より外側に向けて励起し、最短ルートで該二つの磁石０４１´，０４２´のS極に向かう。図９，１１に示すように、該磁心カバー０４６´上には八つの定位凸型縁０３１´が設けられており、該磁化器０３´を該外管０２´中に定位すると同時に、外管内壁０２１´との間に環状ルート０６´を形成する。該磁化器０３´内の磁心０４´の二つの磁石０４１´，０４２´より発せられる磁力線０３２´は、該環状ルート０６´を通じて来る流体とは、ほぼ垂直状態で交わることにより、効果的に流体を磁化すると共にイオン化する作用を提供する。また図７に示すように、該流体磁化チューブ０１´の管連結部０５´には螺旋０５１´及び略円錐形を呈した至端部０５２´が設けられており、該管連結部０５´と該外管０２´とを螺合すると、該至端部０５２´により外磁化器０３´が該外管０２´内部に位置制限されて固定され、スムーズに流体が流れるルートが確保される。
【０００８】
図７及び図１２に示すように本考案の使用においては、使用者が該流体磁化チューブ０１，０１´でコップ内の飲料０８及びボトル内の飲料０９を吸い上げて飲むべく一般のストロー同様に使用するが、該飲料は吸い上げられると同時に磁化される。
【０００９】
また図１４，１５に示すように、本考案の流体磁化チューブ０１，０１´はストローとしてだけでなく、マスク１０の吸気管として、或いは防毒マスク１１の吸気管としても応用できるものであり、濾過装置１１１と連結させることで該流体磁化チューブ０１，０１´の磁化作用が提供され、該流体磁化チューブ０１，０１´を経た空気の分子及び空気中の微粒子（ウィルスや細菌、真菌等の微生物を含む）がイオン化されることで、微生物に微量の電荷が生じて分裂増殖をできなくし、空気中の悪性ウィルスを死滅させる。
【図面の簡単な説明】
【００１０】
【図１】本考案における立体分解図である。
【図２】本考案における立体図である。
【図３】本考案における磁心を組み立てた図である。
【図４】本考案における磁心と磁化器を組み合わせた様子を示す図である。
【図５】本考案における磁心と磁化器を組み合わせた断面図を示す図である。
【図６】本考案における断面図である。
【図７】本考案におけるもう一つの磁心と磁化器の断面図（一）である。
【図８】本考案におけるもう一つの磁心と磁化器を組み合わせた様子を示す図である。
【図９】本考案における磁心と磁化器の断面図（二）である。
【図１０】本考案における更に別の磁心と磁化器を組み合わせた様子を示す図である。
【図１１】本考案の第一実施例を示す図である。
【図１２】本考案の第二実施例を示す図である。
【図１３】本考案の第三実施例を示す図である。
【図１４】本考案の第四実施例を示す図である。
【図１５】本考案の第五実施例を示す図である。
【符号の説明】
【００１１】
０１，０１´  流体磁化チューブ
０２，０２´  外管
０２１，０２１´  外管内壁
０２２，０２２´  螺旋
０３，０３´  磁化器
０３１，０３１´  定位凸型縁
０３２，０３２´  磁力線
０４，０４´  磁心
０４１，０４１´  磁石
０４２，０４２´  磁石
０４３，０４４，０４５  磁気導体
０４６，０４６´  磁心カバー
０５，０５´  管連結部
０５１，０５１´  螺旋
０５２，０５２´  至端部
０６，０６´  環状ルート
０７  チューブ
０８  コップ内の飲料
０９  ボトル内の飲料
１０  マスク
１１  防毒マスク
１１１  濾過装置
【図１】
0003104700.tif 000003
【図２】
0003104700.tif 000004
【図３】
0003104700.tif 000005
【図４】
0003104700.tif 000006
【図５】
0003104700.tif 000007
【図６】
0003104700.tif 000008
【図７】
0003104700.tif 000009
【図８】
0003104700.tif 000010
【図９】
0003104700.tif 000011
【図１０】
0003104700.tif 000012
【図１１】
0003104700.tif 000013
【図１２】
0003104700.tif 000014
【図１３】
0003104700.tif 000015
【図１４】
0003104700.tif 000016
【図１５】
0003104700.tif 000017